(57)【要約】  本発明は、検査をまだ実行していない副画素を選択する工程と、第１の走査ラインにより奇数行のゲートをオンする工程と、対応するデータラインにより奇数行の副画素に対してデータ信号を提供する工程と、第２の走査ラインにより偶数行のゲートをオンする工程と、対応するデータラインにより偶数行の副画素に対してデータ信号を提供する工程と、上述の工程を繰り返す工程と、を含むパネルの純色画面検査方法である。本発明は、有利な効果として、プリント回路基板を介してＧＯＡパネルを混色のない純色画面で点灯することができる。
2020515882.tif 000002
【特許請求の範囲】
【請求項１】
表示装置は、走査駆動モジュールと、データ駆動モジュールと、薄膜トランジスタアレイ基板と、走査ライン群及びデータライン群と、前記薄膜トランジスタアレイ基板の表面に設けられた画素と、を含み、前記画素は、左から右に順次配列された第１の副画素と、第２の副画素と、第３の副画素と、を含み、前記第１の副画素は赤の副画素であり、前記第２の副画素は緑の副画素であり、前記第３の副画素は青の副画素であり、
前記走査ライン群は、奇数行の画素に接続された第１の走査ラインと、偶数行の画素に接続された第２の走査ラインと、を含み、
前記データライン群は、奇数行の第１の副画素に接続された第１のデータラインと、偶数行の第１の副画素及び奇数行の第２の副画素に接続された第２のデータラインと、偶数行の第２の副画素及び奇数行の第３の副画素に接続された第３のデータラインと、偶数行の第３の副画素に接続された第４のデータラインと、を含む表示装置の純色画面検査方法において、
副画素の配列している順序にしたがって未検査色の副画素を目標色の副画素として選択する第１の工程と、
走査駆動モジュールが第１の走査信号を生成し、前記第１の走査信号を前記第１の走査ラインに送信する第２の工程と、
データ駆動モジュールが第１のデータ信号を生成し、前記第１のデータ信号を奇数行の目標色副画素に接続するデータラインに送信する第３の工程と、
走査駆動モジュールが第２の走査信号を生成し、前記第２の走査信号を前記第２の走査ラインに送信する第４の工程と、
データ駆動モジュールが第２のデータ信号を生成し、前記第２のデータ信号を偶数行の目標色副画素に接続するデータラインに送信する第５の工程と、
表示装置のすべての純色画面検査が完了するまで、前記第１から第５の工程を繰り返す第６の工程と、
を含む方法。
【請求項２】
前記第１の副画素は赤の副画素であり、前記第２の副画素は青の副画素であり、前記第３の副画素は緑の副画素である、請求項１に記載の方法。
【請求項３】
前記画素はさらに第４の副画素を含み、前記データライン群はさらに第５のデータラインを含み、前記第４のデータラインは奇数行の第４の副画素に接続され、前記第５のデータラインは偶数行の第４の副画素に接続される、請求項１に記載の方法。
【請求項４】
前記第１の副画素は赤の副画素であり、前記第２の副画素は緑の副画素であり、前記第３の副画素は青の副画素であり、前記第４の副画素は白の副画素である、請求項３に記載の方法。
【請求項５】
前記第１の副画素は赤の副画素であり、前記第２の副画素は緑の副画素であり、前記第３の副画素は青の副画素であり、前記第４の副画素は黄の副画素である、請求項３に記載の方法。
【請求項６】
前記表示装置が液晶表示パネルである、請求項２〜５に記載のいずれかの方法。
【請求項７】
前記表示装置が有機発光ダイオードディスプレイである、請求項２〜５に記載のいずれかの方法。
【請求項８】
表示装置は、走査駆動モジュールと、データ駆動モジュールと、薄膜トランジスタアレイ基板と、走査ライン群及びデータライン群と、前記薄膜トランジスタアレイ基板の表面に設けられた画素と、を含み、前記画素は、第１の副画素と、第２の副画素と、第３の副画素と、を含み、
前記走査ライン群は、奇数行の画素に接続された第１の走査ラインと、偶数行の画素に接続された第２の走査ラインと、を含み、
前記データライン群は、奇数行の第１の副画素に接続された第１のデータラインと、偶数行の第１の副画素及び奇数行の第２の副画素に接続された第２のデータラインと、偶数行の第２の副画素及び奇数行の第３の副画素に接続された第３のデータラインと、偶数行の第３の副画素に接続された第４のデータラインと、を含む表示装置の純色画面検査方法において、
未検査色の副画素を目標色の副画素として選択する第１の工程と、
走査駆動モジュールが第１の走査信号を生成し、前記第１の走査信号を前記第１の走査ラインに送信する第２の工程と、
データ駆動モジュールが第１のデータ信号を生成し、前記第１のデータ信号を奇数行の目標色副画素に接続するデータラインに送信する第３の工程と、
走査駆動モジュールが第２の走査信号を生成し、前記第２の走査信号を前記第２の走査ラインに送信する第４の工程と、
データ駆動モジュールが第２のデータ信号を生成し、前記第２のデータ信号を偶数行の目標色副画素に接続するデータラインに送信する第５の工程と、
表示装置のすべての純色画面検査が完了するまで、前記第１から第５の工程を繰り返す第６の工程と、
を含む方法。
【請求項９】
前記第１の副画素は赤の副画素であり、前記第２の副画素は青の副画素であり、前記第３の副画素は緑の副画素である、請求項８に記載の方法。
【請求項１０】
前記画素は第４の副画素を含み、前記データライン群はさらに第５のデータラインを含み、前記第４のデータラインは奇数行の第４の副画素に接続され、前記第５のデータラインは偶数行の第４の副画素に接続されること、請求項８に記載の方法。
【請求項１１】
前記第１の副画素は赤の副画素であり、前記第２の副画素は緑の副画素であり、前記第３の副画素は青の副画素であり、前記第４の副画素は白の副画素であること、請求項１０に記載の方法。
【請求項１２】
前記第１の副画素は赤の副画素であり、前記第２の副画素は緑の副画素であり、前記第３の副画素は青の副画素であり、前記第４の副画素は黄の副画素であること、請求項１０に記載の方法。
【請求項１３】
前記表示装置が液晶表示パネルである、請求項９〜１２に記載のいずれかの方法。
【請求項１４】
前記表示装置が有機発光ダイオードディスプレイであることを特徴とする請求項９〜１２に記載のいずれかの方法。
【請求項１５】
表示装置は、走査駆動モジュールと、データ駆動モジュールと、薄膜トランジスタアレイ基板と、走査ライン群及びデータライン群と、前記薄膜トランジスタアレイ基板の表面に設けられた画素と、を含み、前記画素は、第１の副画素と、第２の副画素と、第３の副画素と、を含み、
前記走査ライン群は、
奇数行の画素に接続された第１の走査ラインと、
偶数行の画素に接続された第２の走査ラインと、を含み、
前記データライン群は、
奇数行の第１の副画素に接続された第１のデータラインと、
偶数行の第１の副画素及び奇数行の第２の副画素に接続された第２のデータラインと、
偶数行の第２の副画素及び奇数行の第３の副画素に接続された第３のデータラインと、
偶数行の第３の副画素に接続された第４のデータラインと、を含み、
１の色の純色画面が表示される際に、純色画面が２つの半フレームに表示され、
前半のフレームでは、前記走査駆動モジュールが第１の走査信号を生成し、前記第１の走査信号が前記第１の走査ラインに送信され、同時に、前記データ駆動モジュールが第１のデータ信号を生成し、前記第１のデータ信号が奇数行の目標色副画素に接続するデータラインに送信され、
後半のフレームでは、前記走査駆動モジュールが第２の走査信号を生成し、前記第２の走査信号が前記第２の走査ラインに送信され、同時に、前記データ駆動モジュールが第２のデータ信号を生成し、前記第２のデータ信号が偶数行の目標色副画素に接続するデータラインに送信される
表示装置。
【請求項１６】
前記第１の副画素は赤の副画素であり、前記第２の副画素は緑の副画素であり、前記第３の副画素は青の副画素である、請求項１５に記載の表示装置。
【発明の詳細な説明】
【技術分野】
【０００１】
本発明は、液晶表示技術の分野に関するものであり、特に、表示装置および前記表示装置の純色画面検査方法に関する。
【背景技術】
【０００２】
従来のディスプレイパネルでは、通常、表示パネルは測定点を介して供給される信号によって点灯される。これはプリント回路基板を介して信号を供給して表示パネルを点灯させるためにモジュールを直接使用するのとは大きく異なり、表示パネルを点灯させるために測定点を用いて信号を供給するときの供給信号の強度は信号を供給するためにプリント回路基板を使用するときの供給信号の強度ほど明らかに強くなく、接続経路は長く、負荷は重く、信号の減衰も速い。したがって、測定のために表示パネルに供給されるデータ信号は、一般に、直流における正の直流か低周波信号である。このように表示パネル内の画素に到達した信号は過度に歪むことはないため、表示パネルは欠陥の検査を実行するため正常に点灯することができる。
【０００３】
従来の画素の反転構造の設定では、パネルを検査するとき、正の直流信号が直接に赤、緑、青の測定点に供給されると、赤＋緑、緑＋青、青＋赤の混色の画面が点灯する。しかし、混色の画面では、輝線・暗線、色欠陥、赤／緑／青の不均等などの欠陥を検出することは困難である。非ＧＯＡ（Gate Driver on Array。アレイ基板のライン駆動技術）製品の場合、ゲートを奇数行と偶数行とで接続し、奇数行のゲート電極をオンにして赤の測定点に正フレームの低周波信号を供給し、さらに偶数行のゲート電極をオンにして緑の測定点に正フレームの低周波信号を供給し、赤の画面を点灯する。しかし、ＧＯＡ製品の場合、ゲート電極の各行は、ＧＯＡ電気回路内の各ユニットの出力走査信号となり、ＧＯＡ信号の通常のシーケンスでは、非ＧＯＡ製品のように奇数行と偶数行のゲート電極を接続することはできず、したがって赤、緑、青の純色画面を点灯してパネルの不良検査をすることは難しい。
【０００４】
そのため、従来技術のＧＯＡパネルに対して表示の検査では、モジュールを用いてプリント回路基板を介して純色の画面を検査する場合、赤＋緑、緑＋青、青＋赤の混色の画面が現れ、ディスプレイの欠陥の検査を正確に行うことができない。
【発明の概要】
【発明が解決しようとする課題】
【０００５】
本発明は、プリント回路基板を介してＧＯＡパネルを混色のない純色画面で点灯することができ、それによりパネル検査の精度を改善することができる表示装置の純色画面検査方法を提供する。
【課題を解決するための手段】
【０００６】
上述の課題を解決するために、本発明が提供する技術的解決手段は以下のとおりである。
本発明は、表示装置は、走査駆動モジュールと、データ駆動モジュールと、薄膜トランジスタアレイ基板と、走査ライン群及びデータライン群と、前記薄膜トランジスタアレイ基板の表面に設けられた画素と、を含み、前記画素は、左から右に順次配列された第１の副画素と、第２の副画素と、第３の副画素と、を含み、前記第１の副画素は赤の副画素であり、前記第２の副画素は緑の副画素であり、前記第３の副画素は青の副画素であり、
前記走査ライン群は、奇数行の画素に接続された第１の走査ラインと、偶数行の画素に接続された第２の走査ラインと、を含み、
前記データライン群は、奇数行の第１の副画素に接続された第１のデータラインと、偶数行の第１の副画素及び奇数行の第２の副画素に接続された第２のデータラインと、偶数行の第２の副画素及び奇数行の第３の副画素に接続された第３のデータラインと、偶数行の第３の副画素に接続された第４のデータラインと、を含む表示装置の純色画面検査方法において、
副画素の配列している順序にしたがって未検査色の副画素を目標色の副画素として選択する第１の工程と、
走査駆動モジュールが第１の走査信号を生成し、前記第１の走査信号を前記第１の走査ラインに送信する第２の工程と、
データ駆動モジュールが第１のデータ信号を生成し、前記第１のデータ信号を奇数行の目標色副画素に接続するデータラインに送信する第３の工程と、
走査駆動モジュールが第２の走査信号を生成し、前記第２の走査信号を前記第２の走査ラインに送信する第４の工程と、
データ駆動モジュールが第２のデータ信号を生成し、前記第２のデータ信号を偶数行の目標色副画素に接続するデータラインに送信する第５の工程と、
表示装置のすべての純色画面検査が完了するまで、前記第１から第５の工程を繰り返す第６の工程と、を含む方法を提供する。
【０００７】
本発明の好ましい一実施例では、前記第１の副画素は赤の副画素であり、前記第２の副画素は緑の副画素であり、前記第３の副画素は青の副画素である。
本発明の好ましい一実施例では、前記画素は第４の副画素を含み、前記データライン群はさらに第５のデータラインを含み、前記第４のデータラインは奇数行の第４の副画素に接続され、前記第５のデータラインは偶数行の第４の副画素に接続される。
本発明の好ましい一実施例では、前記第１の副画素は赤の副画素であり、前記第２の副画素は緑の副画素であり、前記第３の副画素は青の副画素であり、前記第４の副画素は白の副画素である。
本発明の好ましい一実施例では、前記第１の副画素は赤の副画素であり、前記第２の副画素は緑の副画素であり、前記第３の副画素は青の副画素であり、前記第４の副画素は黄の副画素である。
本発明の好ましい一実施例では、前記表示装置が液晶表示パネルである。
本発明の好ましい一実施例では、前記表示装置が有機発光ダイオードディスプレイである。
【０００８】
また、本発明は、表示装置は、走査駆動モジュールと、データ駆動モジュールと、薄膜トランジスタアレイ基板と、走査ライン群及びデータライン群と、前記薄膜トランジスタアレイ基板の表面に設けられた画素と、を含み、前記画素は、第１の副画素と、第２の副画素と、第３の副画素と、を含み、
前記走査ライン群は、奇数行の画素に接続された第１の走査ラインと、偶数行の画素に接続された第２の走査ラインと、を含み、
前記データライン群は、奇数行の第１の副画素に接続された第１のデータラインと、偶数行の第１の副画素及び奇数行の第２の副画素に接続された第２のデータラインと、偶数行の第２の副画素及び奇数行の第３の副画素に接続された第３のデータラインと、偶数行の第３の副画素に接続された第４のデータラインと、を含む表示装置の純色画面検査方法において、
未検査色の副画素を目標色の副画素として選択する第１の工程と、
走査駆動モジュールが第１の走査信号を生成し、前記第１の走査信号を前記第１の走査ラインに送信する第２の工程と、
データ駆動モジュールが第１のデータ信号を生成し、前記第１のデータ信号を奇数行の目標色副画素に接続するデータラインに送信する第３の工程と、
走査駆動モジュールが第２の走査信号を生成し、前記第２の走査信号を前記第２の走査ラインに送信する第４の工程と、
データ駆動モジュールが第２のデータ信号を生成し、前記第２のデータ信号を偶数行の目標色副画素に接続するデータラインに送信する第５の工程と、
表示装置のすべての純色画面検査が完了するまで、前記第１から第５の工程を繰り返す第６の工程と、
を含む方法を提供する。
【０００９】
本発明の好ましい一実施例では、前記第１の副画素は赤の副画素であり、前記第２の副画素は青の副画素であり、前記第３の副画素は緑の副画素である。
本発明の好ましい一実施例では、前記画素は第４の副画素を含み、前記データライン群はさらに第５のデータラインを含み、前記第４のデータラインは奇数行の第４の副画素に接続され、前記第５のデータラインは偶数行の第４の副画素に接続される。
本発明の好ましい一実施例では、前記第１の副画素は赤の副画素であり、前記第２の副画素は緑の副画素であり、前記第３の副画素は青の副画素であり、前記第４の副画素は白の副画素である。
本発明の好ましい一実施例では、前記第１の副画素は赤の副画素であり、前記第２の副画素は緑の副画素であり、前記第３の副画素は青の副画素であり、前記第４の副画素は黄の副画素である。
本発明の好ましい一実施例では、前記表示装置が液晶表示パネルである。
本発明の好ましい一実施例では、前記表示装置が有機発光ダイオードディスプレイである。
【００１０】
上述した本発明の目的によれば、表示装置は、走査駆動モジュールと、データ駆動モジュールと、薄膜トランジスタアレイ基板と、走査ライン群及びデータライン群と、前記薄膜トランジスタアレイ基板の表面に設けられた画素と、を含み、前記画素は、第１の副画素と、第２の副画素と、第３の副画素と、を含み、
前記走査ライン群は、
奇数行の画素に接続された第１の走査ラインと、
偶数行の画素に接続された第２の走査ラインと、を含み、
前記データライン群は、
奇数行の第１の副画素に接続された第１のデータラインと、
偶数行の第１の副画素及び奇数行の第２の副画素に接続された第２のデータラインと、
偶数行の第２の副画素及び奇数行の第３の副画素に接続された第３のデータラインと、
偶数行の第３の副画素に接続された第４のデータラインと、を含み、
１の色の純色画面が表示される際に、純色画面が２つの半フレームに表示され、
前半のフレームでは、前記走査駆動モジュールが第１の走査信号を生成し、前記第１の走査信号が前記第１の走査ラインに送信され、同時に、前記データ駆動モジュールが第１のデータ信号を生成し、前記第１のデータ信号が奇数行の目標色副画素に接続するデータラインに送信され、
後半のフレームでは、前記走査駆動モジュールが第２の走査信号を生成し、前記２の走査信号が前記第２の走査ラインに送信され、同時に、前記データ駆動モジュールが第２のデータ信号を生成し、前記第２のデータ信号が偶数行の目標色副画素に接続するデータラインに送信される表示装置が提供される。
【００１１】
本発明の好ましい一実施例では、前記第１の副画素は赤の副画素であり、前記第２の副画素は緑の副画素であり、前記第３の副画素は青の副画素である。
本発明の好ましい一実施例では、前記第１の副画素は赤の副画素であり、前記第２の副画素は青の副画素であり、前記第３の副画素は緑の副画素である。
本発明の好ましい一実施例では、前記画素は第４の副画素を含み、前記データライン群はさらに第５のデータラインを含み、前記第４のデータラインは奇数行の第４の副画素に接続され、前記第５のデータラインは偶数行の第４の副画素に接続される。
本発明の好ましい一実施例では、前記第１の副画素は赤の副画素であり、前記第２の副画素は緑の副画素であり、前記第３の副画素は青の副画素であり、前記第４の副画素は白の副画素である。
本発明の好ましい一実施例では、前記第１の副画素は赤の副画素であり、前記第２の副画素は緑の副画素であり、前記第３の副画素は青の副画素であり、前記第４の副画素は黄の副画素である。
本発明の好ましい一実施例では、前記表示装置が液晶表示パネルである。
本発明の好ましい一実施例では、前記表示装置が有機発光ダイオードディスプレイである。
【発明の効果】
【００１２】
本発明の有利な効果は以下のとおりである。従来のＧＯＡパネルの検査と比較して、本発明の検査方法は、プリント回路基板を介してＧＯＡパネルを混色のない純色画面で点灯することができ、それによりパネル検査の精度を改善することができる。
【図面の簡単な説明】
【００１３】
【図１】従来のＧＯＡパネルの部分的な構造の概略図である。
【図２】本発明のＧＯＡパネルに純色画面検査を実行する方法のフローチャートである。
【図３】本発明のＧＯＡパネルの駆動信号の波形図である。
【発明を実施するための形態】
【００１４】
実施例または従来技術の技術的解決手段をより明確に説明するため、以下に実施例または従来技術の記載で使用される図面を簡単に説明する。明らかなように、以下の記載における図面は本発明の実施例に過ぎず、当業者であれば、創造的な作業をすることなく、これらの図面に基づいて他の図面を得ることができる。
【００１５】
以下に各実施例について図面を参照して説明する。本発明の実施可能な特定な実施例を例示するものである。本発明でいう方向を示す用語、例えば「上」、「下」、「前」、「後」、「左」、「右」、「内」、「外」、「側面」等は、図面における方向に過ぎない。したがって、用いられる方向用語は、本発明を説明及び理解するためのもので、本発明を制限するものではない。図中、構造が類似する要素には同じ符号を付する。
【００１６】
従来技術によりＧＯＡパネルに対して表示検査を実行する場合、プリント回路基板を介して単色画面を点灯して検査を行うためにモジュールを用いると、赤＋緑、緑＋青あるいは青＋赤の混色画面が現れることがあり、ディスプレイの欠陥を正確に検出できないことがある。本実施例はこの欠点を解決することができる。
【００１７】
図１は従来のＧＯＡパネルの部分的な構造の概略図である。
図１に示すように、パネルは、走査駆動モジュール１０１と、データ駆動モジュール１０２と、薄膜トランジスタアレイ基板と、走査ライン群及びデータライン群を含む。前記薄膜トランジスタアレイ基板はいくつかの画素を含み、前記画素は、第１の副画素１０３と、第２の副画素１０４と、第３の副画素１０５を含み、各副画素はそれぞれ対応する１の薄膜トランジスタ１０６に接続される。前記走査駆動モジュール１０１は走査信号（ゲート信号）を生成するために用いられ、前記走査信号は前記走査駆動モジュール１０１から前記走査ライン群に送信される。前記データ駆動モジュール１０２はデータ信号を生成するために用いられ、前記データ信号は前記データ駆動モジュール１０２から前記データライン群に送信される。前記走査ラインと前記画素は結合され、前記データラインと前記画素は結合される。
【００１８】
前記走査ライン群は、奇数行の画素に接続された第１の走査ライン１０７と、偶数行の画素に接続された第２の走査ライン１０８を含む。前記データライン群は、奇数行の第１の副画素１０３に接続された第１のデータライン１０９と、偶数行の第１の副画素１０３及び奇数行の第２の副画素１０４に接続された第２のデータライン１１０と、偶数行の第２の副画素１０４及び奇数行の第３の副画素１０５に接続された第３のデータライン１１１と、偶数行の第３の副画素１０５に接続された第４のデータラインを含む。
奇数行の副画素と偶数行の副画素とからなる同一の列の副画素は、それぞれ異なるデータラインに接続される。こうした接続方式では、点灯が必要な副画素をオンにするのと同時に、データラインを共有する副画素のプリチャージを有効にすることができるため、液晶が瞬間的に駆動され、液晶のねじれ角の不正確な現象の発生を避けることができる。これにより、第１の副画素１０３などに対応する色の純色画面を点灯するとき、最初にアレイ基板上のすべての薄膜トランジスタ１０６をオンにして、同時に、データ信号を第１の副画素１０３に接続されたすべてのデータラインに送信して、第１の副画素１０３をすべて点灯させる。しかし同時に、第１の副画素１０３と１つのデータラインを共有するその他の色の副画素の一部も点灯されるため、画面の混色現象を引き起こし、ディスプレイの欠陥を識別することが困難となる。
【００１９】
図２は本発明のＧＯＡパネルに純色画面検査を実行する方法のフローチャートである。
図２に示されるように、ＧＯＡパネルの純色画面検査方法は以下の工程を含む。
Ｓ１０１では、まだ検査していない色の副画素を目標色の副画素として選択する。
Ｓ１０１において、まだ検査していない色を選択するとき、副画素の配列順にしたがって選択を行わなくてもよい。
Ｓ１０２では、走査駆動モジュールが第１の走査信号を生成し、前記第１の走査信号を前記第１の走査ラインに送信する。
Ｓ１０２において、前記第１の走査ラインは奇数行のすべての薄膜トランジスタをオンにする。
Ｓ１０３では、データ駆動モジュールが第１のデータ信号を生成し、前記第１のデータ信号を奇数行の目標色の副画素に接続するデータラインに送信する。
Ｓ１０３において、前記データラインは表示信号を奇数行のうち対応する副画素に送信することにより、対応する副画素を点灯させる。
Ｓ１０４では、走査駆動モジュールが第２の走査信号を生成し、前記第２の走査信号を前記第２の走査ラインに送信する。
Ｓ１０４において、前記第２の走査ラインは偶数行のすべての薄膜トランジスタをオンにする。
Ｓ１０５では、データ駆動モジュールが第２のデータ信号を生成し、前記第２のデータ信号を偶数行の目標色副画素に接続するデータラインに送信する。
Ｓ１０５において、前記データラインは表示信号を偶数行のうち対応する副画素に送信することにより、対応する副画素を点灯させる。
Ｓ１０５が終了したら、１つの純色画面が表示され、人間の目による観測を通して、あるいは、測定器で撮影することにより、パネルの欠陥を検出することができる。
Ｓ１０６において、１から５の工程を繰り返す。表示装置のすべての純色画面検査が完了するまで、まだ検査していない色の副画素の純色画面を点灯して検査する。
【００２０】
このように、奇数行の副画素と偶数行の副画素を別々にオンすることで、目標色とは異なる副画素がオンして、純色画面の表示の純度に影響を与えることを防ぐことができ、パネル検査の効率と欠陥を識別する精度を向上させることができる。
本発明の好ましい一実施例によれば、前記第１の副画素は赤の副画素であり、前記第２の副画素は緑の副画素であり、前記第３の副画素は青の副画素であり、赤の副画素、緑の副画素、青の副画素は左から右に順次配列され、あるいは、前記第１の副画素は赤の副画素であり、前記第２の副画素は青の副画素であり、前記第３の副画素は緑の副画素である。
本発明の好ましい一実施例によれば、前記画素は第４の副画素を含み、前記第１の副画素と、第２の副画素と、第３の副画素と、第４の副画素は、左から右に順次配列され、前記データライン群はさらに第５のデータラインを含み、前記第４のデータラインは奇数行の第４の副画素に接続され、前記第５のデータラインは偶数行の第４の副画素に接続され、単色画面検査を実行する際、純色画面を点灯する方法は上述の実施例と同様である。
好ましくは、前記第１の副画素は赤の副画素であり、前記第２の副画素は緑の副画素であり、前記第３の副画素は青の副画素であり、前記第４の副画素は白の副画素である。
好ましくは、前記第１の副画素は赤の副画素であり、前記第２の副画素は緑の副画素であり、前記第３の副画素は青の副画素であり、前記第４の副画素は黄の副画素である。
好ましくは、前記表示装置が液晶表示パネルである。
好ましくは、前記表示装置が有機発光ダイオードディスプレイである。
【００２１】
上述した本発明の目的によれば、走査駆動モジュールと、データ駆動モジュールと、薄膜トランジスタアレイ基板と、走査ライン群及びデータライン群と、前記薄膜トランジスタアレイ基板の表面に設けられた画素と、を含み、前記画素は、第１の副画素と、第２の副画素と、第３の副画素と、を含み、前記走査ライン群は、奇数行の画素に接続された第１の走査ラインと、偶数行の画素に接続された第２の走査ラインと、を含み、前記データライン群は、奇数行の第１の副画素に接続された第１のデータラインと、偶数行の第１の副画素及び奇数行の第２の副画素に接続された第２のデータラインと、偶数行の第２の副画素及び奇数行の第３の副画素に接続された第３のデータラインと、偶数行の第３の副画素に接続された第４のデータラインと、を含む表示装置が提供される。
前記表示装置において、１の色の純色画面が表示される際に、純色画面が２つの半フレームに表示され、前半のフレームでは、前記走査駆動モジュールが第１の走査信号を生成し、前記第１の走査信号が前記第１の走査ラインに送信され、同時に、前記データ駆動モジュールが第１のデータ信号を生成し、前記第１のデータ信号が奇数行の目標色副画素に接続するデータラインに送信され、後半のフレームでは、前記走査駆動モジュールが第２の走査信号を生成し、前記２１の走査信号が前記第２の走査ラインに送信され、同時に、前記データ駆動モジュールが第２のデータ信号を生成し、前記第２のデータ信号が偶数行の目標色副画素に接続するデータラインに送信される。
本実施例の表示装置の動作原理は、上述の実施例の表示装置の純色画面検査方法の動作原理と一致するため、上述の実施例における表示装置の純色画像検出方法の動作原理を参照し、具体的な説明は省略する。
【００２２】
本発明の有利な効果は以下のとおりである。従来のＧＯＡパネルの検査と比較して、本発明の検査方法は、プリント回路基板を介してＧＯＡパネルを混色のない純色画面で点灯することができ、それによりパネル検査の精度を改善することができる。
【００２３】
以上のとおり、本発明を好ましい実施例により説明したが、上述の好ましい実施例は本発明を限定するものではなく、本技術分野の当業者であれば、本発明の趣旨を逸脱しない範囲で、各種の置換や修正をすることができる。したがって本発明の範囲は特許請求の範囲によって規定される範囲によって規定されるものである。
【図１】
2020515882.tif 000003
【図２】
2020515882.tif 000004
【図３】
2020515882.tif 000005
【国際調査報告】
2020515882.tif 000006
2020515882.tif 000007
2020515882.tif 000008
2020515882.tif 000009